(57)【要約】【課題】デジタル電話機に簡単に接続することができるデジタル電話機用録音アダプタを提供することにある。【解決手段】第１及び第２の信号取り出し回路１８，２０はマイク１２ａとレシーバ１２ｂの何れが接続されてもその信号を取り出すことができる。取り出されたマイク信号とレシーバ信号は混合回路２６にて混合される。接続回路１６は電話機本体１０とハンドセット１２とを接続する４線１４ａ〜１４ｄを２線ずつ組み合わせてそれぞれ第１及び第２の信号取り出し回路１８，２０に接続する。本構成では、マイクとレシーバの何れの配線であるかを判別したり、アースの極性反転スイッチ回路が不要となるため、配線の接続が非常に簡単になる。【選択図】  図１
2004166168.tif 000002
【特許請求の範囲】
【請求項１】
デジタル電話機におけるマイクからのマイク信号及びレシーバ信号の何れの取り出しも可能な第１及び第２の信号取り出し回路と、
該第１の信号取り出し回路が取り出した前記マイク信号及びレシーバ信号の一方と前記第２の信号取り出し回路が取り出した前記マイク信号及びレシーバ信号の他方を混合して出力する混合回路と、を備えることを特徴とするデジタル電話機用録音アダプタ。
【請求項２】
前記デジタル電話機のマイク及びレシーバと前記第１及び第２の信号取り出し回路とを接続する接続回路を有することを特徴とする請求項１記載のデジタル電話機用録音アダプタ。
【請求項３】
前記第１及び第２の信号取り出し回路は同一の回路構成からなることを特徴とする請求項１又は２記載のデジタル電話機用録音アダプタ。
【請求項４】
前記接続回路は、前記マイク及びレシーバを接続することにより、前記マイク及びレシーバの判別を行うことなく前記第１及び第２の信号取り出し回路にそれぞれ接続することを特徴とする請求項２記載のデジタル電話機用録音アダプタ。
【発明の詳細な説明】
【０００１】
【発明の属する技術分野】
本発明は電話機の通話内容を録音する際に使用する録音アダプタに関するものであり、特にデジタル電話機に使用するものに関する。
【０００２】
【従来の技術】
一般に、電話機に使用する録音アダプタは、電話機本体とハンドセットとの接続部分から信号を取り出して通話内容を録音するように構成されている。アナログ電話機の場合、２線の電話回線で送話と受話を行っているため、相手の声だけでなく自分の声も受話器から聞こえるように設定されている。このように側音が入るように設定されたアナログ電話機においては、レシーバ側の配線から信号を取り出すだけで送話と受話の両方を録音することができた。
【０００３】
ところが、携帯電話やデジタル電話機においては、通話品質を低下させるエコーの発生をできるだけすくなくする目的でレシーバから側音が全く出ない構造となっているため、マイクとレシーバの配線それぞれから信号を取り出して送話と受話を録音することが必要になる。また、一部のアナログ電話機においても、電気的処理を施して側音を小さくするものがあり、このようなアナログ電話機においてもマイクとレシーバの両方から信号を取り出すことが必要とされていた。
【０００４】
【発明が解決しようとする課題】
一般に、電話機本体とハンドセットとを接続するコードの構成は４線であり、図４に示すように、そのうち２線がレシーバ、他の２線がマイクに接続されている。この４本の接続関係は、製造するメーカーが独自に設定しており、規格が統一されていない。このため、図５に示すように、レシーバとマイクにそれぞれ接続される線の配分は、６通りあることになる。従って、アナログ電話機の場合には、レシーバ側の配線のみから信号を取るだけで良いが、６通りの接続が必要となる。又、マイク及びレシーバのアース側を考慮した場合、別に反転するスイッチ回路が必要となる。これがデジタル電話機の場合には、前述したように側音がないため、レシーバ側の配線だけでなくマイク側の配線からも信号を取る必要がある。従って、アナログ電話機よりも更に複雑な接続が必要となり、一般の使用者が最適な接続状態を設定することは極めて困難なことであった。
【０００５】
本発明は、上記従来技術の課題に鑑みなされたもので、デジタル電話機に簡単に接続することができるデジタル電話機用録音アダプタを提供するものである。
【０００６】
【課題を解決するための手段】
本発明のデジタル電話機用録音アダプタは、デジタル電話機におけるマイクからのマイク信号及びレシーバ信号の何れの取り出しも可能な第１及び第２の信号取り出し回路と、該第１の信号取り出し回路が取り出した前記マイク信号及びレシーバ信号の一方と前記第２の信号取り出し回路が取り出した前記マイク信号及びレシーバ信号の他方を混合して出力する混合回路と、を備えている。このデジタル電話機用録音アダプタは、前記デジタル電話機のマイク及びレシーバと前記第１及び第２の信号取り出し回路とを接続する接続回路を有している。また、このデジタル電話機用録音アダプタにおける前記第１及び第２の信号取り出し回路は同一の回路構成からなる。また、デジタル電話機用録音アダプタにおける前記接続回路は、前記マイク及びレシーバを接続することにより、前記マイク及びレシーバの判別を行うことなく前記第１及び第２の信号取り出し回路にそれぞれ接続するものとなっている。
【０００７】
【発明の実施の形態】
本発明のデジタル電話機用録音アダプタには、デジタル電話機のマイクとレシーバの何れの信号も取り出すことができる第１及び第２の信号取り出し回路が設けられている。この第１及び第２の信号取り出し回路は、同一の回路構成からなり、どちらもマイクとレシーバの何れの配線が接続されてもその信号を取り出すことができる。この第１及び第２の信号取り出し回路が取り出したマイク信号とレシーバ信号は、混合回路にて混合され、録音機等が接続される出力端から出力される。また、このデジタル電話機用録音アダプタには、マイク及びレシーバと第１及び第２の信号取り出し回路とを接続する接続回路が設けられている。この接続回路には、切換手段が設けられており、電話機本体とハンドセットとを接続する４線を２線ずつ組み合わせてそれぞれ第１及び第２の信号取り出し回路に接続する。
【０００８】
このデジタル電話機用録音アダプタにおいては、マイクとレシーバの何れの配線であるかを判別して第１及び第２の信号取り出し回路に接続する必要はない。又、第１及び第２の信号取り出し回路は低周波トランスを介することにより、アースの極性反転スイッチ回路が不要となる。このため、図５における（ａ），（ｂ），（ｃ）と（ｄ），（ｅ），（ｆ）とがそれぞれ同じ組み合わせとなり、３通りの組み合わせで接続するだけで良いことになる。
【０００９】
【実施例】
以下図面に基づいて本発明の実施例を説明する。図１は本発明の一実施例に係るデジタル電話機用録音アダプタの構成を示すブロック図、図２は図１に示す信号取り出し回路の構成を示す回路図、図３は図１に示す混合回路の構成を示す回路図である。
【００１０】
図１に示すように、本実施例における録音アダプタは、電話機本体１０とハンドセット１２のマイク１２ａ及びレシーバ１２ｂを接続する４本の配線１４ａ〜１４ｄを２本ずつ３通りに組み合わせて接続する接続回路１６を有している。
【００１１】
また、この録音アダプタには、第１及び第２の信号取り出し回路１８，２０が設けられており、接続回路１６を介して配線１４ａ〜１４ｄに接続されている。この第１及び第２の信号取り出し回路１８，２０は、同一の回路構成からなる。この第１及び第２の信号取り出し回路１８，２０は、図１及び図２に示すように、マイク１２ａ及びレシーバ１２ｂに対して直流的に遮断し信号のみを通過させるトランスＴと、このトランスＴからの信号をベースに入力するトランジスタＴｒを中心としてそのベース、コレクタ及びエミッタに接続された抵抗Ｒ１〜Ｒ４とコンデンサＣ１〜Ｃ３からなる増幅回路２２と、この増幅回路２２の出力に直流バイアスを加えた信号を出力するフォトカプラＦＣと抵抗Ｒ５，Ｒ６及びコンデンサＣ４からなる信号変換回路２４とから構成されている。
【００１２】
更に、この録音アダプタには、上記第１及び第２の信号取り出し回路１８，２０からの信号を混合する混合回路２６が設けられている。この混合回路２６は、第１及び第２の信号取り出し回路１８，２０からの出力をそれぞれベースに入力して増幅するトランジスタＴｒ１，Ｔｒ２と、その出力に応じた信号を同一の出力端へそれぞれ出力するフォトカプラＦＣ１，ＦＣ２と、それらに接続された抵抗Ｒ７〜Ｒ１３及びコンデンサＣ５〜Ｃ８とから構成されている。
【００１３】
上記構成からなる本実施例の録音アダプタにおいては、接続回路１６により、マイク１２ａの配線１４ａ，１４ｂとレシーバ１２ｂの配線１４ｃ、１４ｄの一方が第１の信号取り出し回路１８に接続さえれ、他方が第２の信号取り出し回路２０に接続される。このときに、マイク１２ａとレシーバ１２ｂの何れの配線が接続されても第１及び第２の信号取り出し回路１８，２０は接続された配線から信号を取り出して出力する。第１の信号取り出し回路１８が出力するマイク信号及びレシーバ信号の一方と、第２の信号取り出し回路２０が出力するマイク信号及びレシーバ信号の他方は、共に混合回路２６に供給され、そこで混合されて出力される。
【００１４】
このように、第１及び第２の信号取り出し回路１８，２０がマイク信号及びレシーバ信号の何れでも取り出すことができるものとなっているため、接続回路１６にてマイク１２ａとレシーバ１２ｂをそれぞれ判別して接続する必要がない。また、第１及び第２の信号取り出し回路１８，２０の出力信号は、最終的に混合回路２６にて混合されるため、マイク信号とレシーバ信号さえ得られれば、どちらの信号取り出し回路がどちらの信号を取り出しても良いことになる。この結果、接続回路１６は、４本の配線１４ａ〜１４ｄを３通りに接続すれば、配線１４ａ〜１４ｄがどのような順番であっても第１及び第２の信号取り出し回路１８，２０に接続して、信号を取り出すことができる。
【００１５】
尚、取り出したマイク信号とレシーバ信号を自動利得調整回路等を設けることで、利得を調整して出力するようにしても良い。
【００１６】
【発明の効果】
本発明によれば、側音のないデジタル電話機から送話と受話を取り出す際に、マイクの配線とレシーバの配線をそれぞれ判別して接続することなくそれらからの信号を取り出すことができるので、簡単にハンドセットの接続部分に接続して送話と受話をとり出すことができる。
【００１７】
また、第１及び第２の信号取り出し回路及び混合回路においては、トランジスタを増幅専用としてフォトカプラで信号を取り出しているので、減電圧特性が良く、乾電池等の限られた電源電圧での駆動でも安定した動作を得ることができる。
【００１８】
更に、デジタル電話は通話品質を低下させるエコーをできるだけ少なくする配慮がなされている。本発明では、マイク信号及びレシーバ信号が録音アダプタを接続することに起因するエコーを助長しないように、フォトカプラを使用してマイク信号及びレシーバ信号間の漏洩を遮断し、エコーの発生を防いで通話品質を良好な状態に保つという大いなる効果を得ている。
【図面の簡単な説明】
【図１】本発明の一実施例に係るデジタル電話機用録音アダプタの構成を示すブロック図である。
【図２】図１に示す信号取り出し回路の構成を示す回路図である。
【図３】図１に示す混合回路の構成を示す回路図である。
【図４】電話機本体とハンドセットとを接続する配線の状態を示す説明図である。
【図５】図４に示す配線の組み合わせを示す説明図である。
【符号の説明】
１０            電話機本体
１２            ハンドセット
１２ａ          マイク
１２ｂ          レシーバ
１４ａ〜１４ｄ  配線
１６            接続回路
１８            第１の信号取り出し回路
２０            第２の信号取り出し回路
２６            混合回路
【図１】
2004166168.tif 000003
【図２】
2004166168.tif 000004
【図３】
2004166168.tif 000005
【図４】
2004166168.tif 000006
【図５】
2004166168.tif 000007